(57)【要約】【課題】弁およびその表面をクリーンに保つために、清浄可能なフロート弁を提供する。【解決手段】清浄可能なフロート弁本体１、弁本体内に配置される閉鎖部材２、閉鎖部材を制御するためのレバーアーム４に連結されるフロートを含み、前記弁が開いているとき、液体の一部が、弁本体１の弁室と閉鎖部材２との間の許容隙間を通って排出されるように、閉鎖部材２が弁室内に組み込まれている。これにより、弁室と閉鎖部材の各表面をフラッシュできる。【選択図】      図１
2006529020.tif 000002
【特許請求の範囲】
【請求項１】
水の浄化循環に用いられる衛生的なフロート弁であって、
弁本体（1）と、この本体内に配置される閉鎖部材（2）と、この閉鎖部材を制御するためのレバーアーム（4）に連結されるフロートを含み、前記閉鎖部材の長さがその直径より大きくなっており、
前記弁が開いているとき、液体の一部が、前記弁本体の弁室と前記閉鎖部材との間の許容隙間を通って排出され、前記弁室と前記閉鎖部材の各表面をフラッシュすることを特徴とするフロート弁。
【請求項２】
弁の前記閉鎖部材（2）は、弁の液体入口（6）に適合する、部分的に凸形状のシール表面（5）を備えていることを特徴とする請求項１記載のフロート弁。
【請求項３】
前記閉鎖部材（2）の前記シール表面に反対側の端部は、丸くなっていることを特徴とする請求項１または２記載のフロート弁。
【請求項４】
前記弁室は、略円筒形状で、この弁室内に適合する前記閉鎖部材（2）は、円形状断面を有していることを特徴とする請求項１ないし３のいずれかに記載のフロート弁。
【請求項５】
前記閉鎖部材（2）の材料は、ＰＴＦＥであることを特徴とする請求項１ないし４のいずれかに記載のフロート弁。
【請求項６】
弁は、バイヨネット式のフランジ結合によって液体入口用パイプに取付けるための部材を備えていることを特徴とする請求項１ないし５のいずれかに記載のフロート弁。
【発明の詳細な説明】
【技術分野】
【０００１】
本発明は、フロート弁に関し、特に弁の表面をフラッシュ(flush)するために、弁室およびスライドの間に液体を放出させることを可能にするフロート弁のスライドの許容差に関する。
【背景技術】
【０００２】
従来公知のフロート弁は、種々異なるものがある。これらの弁の利用上で最も重要な分野は、機械的なレベル指示器である。フロート弁の動作は、その名前で示すように、フロートによって規定される。このフロートは、一般的に、弁の外側に配置されかつレバーアームによって弁に通常連結された浮動体(スイマー）である。このフロートは、液体タンク内の液体の表面上に浮かんでおり、これにより、液量が、必要な時、所望の方法で弁を開閉する際にフロート弁の作動を制御する。
【発明の開示】
【発明が解決しようとする課題】
【０００３】
本発明によれば、弁およびその表面をクリーンに保つために、衛生的なフロート弁の形式が与えられる。これは、弁を介して流れる液体の純度が必要な環境において特に重要である。
【課題を解決するための手段】
【０００４】
本発明に係る弁において、フロート弁の衛生化は、弁の開閉部材を弁室内に配置することによって与えられるが、その場合、弁室と閉鎖部材の間にクリアランスが残る。そして、弁が開いているとき、閉鎖部材と弁室との間の許容隙間を介して、弁から一部の液体が放出され、それらの表面をフラッシュする。この種の弁の一例は、例えば、殺菌のために用いられる洗浄循環の充填水の取入れ口を規制する弁である。この弁は、循環する水の量によって制御される。この循環する水は、除去すべき不純物によって影響され、それゆえ、使用のために清浄水が使用される。弁をフラッシュする水は、循環用の水タンクに流れる。言い換えれば、弁が開いたとき、弁を介して流れる水と同様の場所に流れる。さらに、この種の使用において、弁は、必要な時、熱水および／または蒸気を用いて清浄（殺菌）される。
【０００５】
上述した弁作動によって、弁室と閉鎖部材の間の表面上に残る不純物の集塊が、弁を介して循環する液体中に移動することを防止できる。さらに、不純物によって閉鎖部材が弁室内に固着するのを防止することによって、弁の機能が改善される。
【０００６】
さらに、正確には、本発明のフロート弁は、請求項１に記載の特徴部分に記載された構成により特定される。
【発明を実施するための最良の形態】
【０００７】
以下に、本発明は、添付する図面を参照して、より詳細に記載される。
図１は、本発明に従うフロート弁を概略的に示すもので、その一部分が断面で示されている。
【０００８】
図１に示すように、本発明に従うフロート弁の要部は、垂直断面として示された弁本体（1）、スライド（2）、ガイドカム（3）、レバーアーム（4）、およびレバーアームに取付られたフロータ(図示略)を含む。図１において、弁は、開位置を示し、図中の矢印は、弁を通して流れる液体の主経路を示す。弁を示す矢印は、弁内に入る液体を示し、弁から離れる方向を示す矢印は、弁から排出される液体を示している。
【０００９】
フロート弁が開いているとき、図に示す位置において、液体は、弁本体（1）の一端から弁内（入力側矢印）に流れる。そして、開口（液体入口）を通じて弁の外側（出力側矢印）に流れる。また、弁を通って流れる液体の一部は、入力側矢印によって示された方向に沿って、弁室とスライド（2）との間の隙間を通って弁を貫通して流れ、そして、弁の他端側から排出される。こうして、弁室を通過して流れる流体は、弁室とスライドの各壁面をフラッシュし、弁に対して不純物の集塊が生じるのを防止する。
【００１０】
弁の動作は、液体のレベルに従って、レバーアーム（4）に取り付けられたフロートによって調整される。ガイドアーム（3）は、レバーアームを介してフロートによって調整される。そして、ガイドカムの一部により弁のスライド（2）を動かす。スライドの前面には、湾曲した突出部（5）が設けられている。この突出部は、弁が閉じられるとき、弁室の前壁に設けた液体入口（6）を押圧する。これに対応して、弁室の前壁にある液体入口（6）のエッジは面取りされている。この結果、弁を閉じた時、スライドと弁室との間のクリアランスにもかかわらず、弁室の前側表面と前壁との間に密着した接続が与えられる。
【００１１】
弁フロートとレバーアームの組み合わせの形態は、弁の作動を制御する液体レベルに関する弁の位置によって決定される。それゆえ、本発明に係る弁は、フロートおよびレバーアームの組み合わせまたはその形状を限定する必要がない。
【００１２】
本発明による弁の閉鎖部材の形状は、閉鎖部材の長さが、閉鎖部材の直径よりも大きくなるように設計されることが望ましい。これは、閉鎖部材の動作を確実にするためであり、かつクリアランスによる閉鎖部材の食付きと、クリアランスによる閉鎖部材の他の妨害を防止する。さらに、閉鎖部材の横方向の動きが、閉鎖部材の前側表面に設けた湾曲した突出部によって適切に補正されるので、弁の密着した閉鎖を保証することができる。また、湾曲した突出部は、弁が閉じられるとき、弁の閉鎖部材を正しい位置に位置決めることができる。
【００１３】
しかし、本発明による弁は、スライドの形態を限定するものではない。このスライドの他の選択的な機能形態は、例えば、フラップおよびボール等の他のものとすることができる。
【００１４】
弁のフロートのレバーアームおよびガイドカムによって、弁を閉鎖するための適切な表面力を決定することができ、これにより、弁室の前壁に設けた液体入口に対するスライドのシールを適切に行うことができる。
【００１５】
さらに、本発明に係る弁の解決策では、液体出口の方向を、弁の断面部分の半径方向に制限する必要はなく、所望の方向に選択することができる。
【００１６】
本発明の好ましい一例において、フロート弁は、略円筒でかつ一端側に液体入口を有する弁室を備えた弁ハウジングと、円形断面を有するスライド部材と、前記弁室の側面上で、前記弁の入口に対面する端部に配置される排出口と、スライド部材の丸い端部に作用するガイドカムと、該ガイドカムに取り付けられるレバーアームと、該レバーアームに取り付けられるフロートとを含み、前記スライド部材は、前記弁室の長手方向に移動可能で、前記弁の入口に対面して部分的に凸形状の閉鎖面を有する一端部と、丸い形状の他端部とを有することを特徴とする。
【００１７】
本発明に係るフロート弁またはその構成部品は、特定の材料に限定されないが、ＰＴＦＥ（四フッ化エチレン樹脂）等のフッ素含有ポリマーで作られたスライドまたはプレートが、本発明に従う解決策に適している。
【００１８】
本発明の弁は、液体入口用パイプに容易に取付できるようにフランジを備えることが望ましい。このフランジは、弁の先端位置でバイヨネット式のフランジジョイントを用いて取り付けられる。この連結におけるバイヨネット式のフランジジョイントは、弁およびパイプをフランジによって連結するためのものであり、弁およびパイプは、フランジの外周縁の回りに設けたクランプカラー等のバイヨネット結合で互いに連結され、カラーは、フランジと互いに連結する。
【図面の簡単な説明】
【００１９】
【図１】図１は、本発明に従うフロート弁を概略断面図である。
【符号の説明】
【００２０】
１  弁本体
２  スライド
３  ガイドカム
４  レバーアーム
５  シーリング面
６  液体入口
【図１】
2006529020.tif 000003
【国際調査報告】
2006529020.tif 000004
2006529020.tif 000005